(57)【要約】 【課題】  例えば厚手の生地で成型されたズボンやスカートのウエストサイズを調整できる掛止具を提供する。【解決手段】  一方生地に配設され所定長さの長手方向を有するベース部２００と、ボタン頭部３１０およびボタン頭部３１０から立設するボタン首部３２０を有するボタン部３００と、ベース部２００に配設されボタン部３００をベース部２００の長手方向に沿ってスライド移動させるスライド手段４００と、を備え、ベース部２００は、収納空間と、ベース部２００の長手方向に沿った所定長さを有し収納空間を外部に連通させる窓部２２１と、を備え、スライド手段４００は、ベース部２００の収納空間内に配設され、ボタン部３００は、ボタン首部３２０の端部がスライド手段４００に取り付けられるとともにボタン首部３２０が窓部２２１を通過する状態でベース部２００から立ち上がる状態に設けられる。【選択図】  図２
2005273021.tif 000002
【特許請求の範囲】
【請求項１】
一方生地６３０に配設されるとともに前記一方生地６３０に配設された状態で当該一方生地６３０の面方向に沿った所定長さの長手方向を有するベース部２００と、ボタン頭部３１０および当該ボタン頭部３１０から立設するボタン首部３２０を有するボタン部３００と、前記ベース部２００に配設され前記ボタン部３００を前記ベース部２００の長手方向に沿ってスライド移動させるスライド手段４００と、を備え、前記一方生地６３０と他方生地６４０との合わせ部において前記他方生地６４０に形成されたボタンホール６５０に掛け外し可能に掛止して前記合わせ部６２０を留め合わせる掛止具１００であって、
前記ベース部２００は、内部に設けられた収納空間と、前記ベース部２００の長手方向に沿った所定長さを有し前記収納空間を外部に連通させる窓部２２１と、を備え、
前記スライド手段４００は、前記ベース部２００の前記収納空間内に配設され、
前記ボタン部３００は、前記ボタン首部３２０の端部が前記スライド手段４００に取り付けられるとともに前記ボタン首部３２０が前記窓部２２１を通過する状態で前記ベース部２００から立ち上がる状態に設けられる
ことを特徴とする掛止具１００。
【請求項２】
請求項１に記載の掛止具１００において、
前記スライド手段４００は、
前記ボタン首部３２０の端部が取り付けられるとともに前記ベース部２００の前記収納空間内でスライド移動可能なスライダ部４１０と、
前記スライダ部４１０の可動方向を前記ベース部２００の長手方向に沿う方向にガイドするガイド手段４４０と、を備え、
前記ガイド手段４４０の少なくとも一部は、前記ベース部２００の収納空間内において、前記一方生地６３０と前記他方生地６４０とが打ち合わされたときの前記他方生地６４０の側に配設されている
ことを特徴とする掛止具１００。
【請求項３】
請求項１または請求項２に記載の掛止具１００において、
前記スライド手段４００は、
前記ボタン首部３２０の端部が取り付けられるとともに前記ベース部２００の前記収納空間内でスライド移動可能なスライダ部４１０と、
前記スライダ部４１０の可動方向を前記ベース部２００の長手方向に沿う方向にガイドするガイド手段４４０と、を備え、
前記ガイド手段４４０の少なくとも一部は、前記ベース部２００および前記スライダ部４１０に対して一体成型されている
ことを特徴とする掛止具１００。
【請求項４】
請求項１ないし請求項３のいずれかに記載の掛止具１００において、
前記スライド手段４００は、
前記ボタン首部３２０の端部が取り付けられるとともに前記ベース部２００の前記収納空間内でスライド移動可能なスライダ部４１０と、
前記スライダ部４１０の可動方向を前記ベース部２００の長手方向に沿う方向にガイドするガイド手段４４０と、を備え、
前記ガイド手段４４０は、前記ベース部２００および前記スライダ部４１０のいずれか一方に凹設され前記ベース部２００の長手方向に長さを有する溝４４１、４２４と、
前記ベース部２００および前記スライダ部４１０のいずれか他方に凸設され前記溝４４１、４２４に係合する係合凸部４３１、４４４と、を備える
ことを特徴とする掛止具１００。
【請求項５】
請求項１ないし請求項４のいずれかに記載の掛止具１００において、
前記スライド手段４００は、
前記ボタン首部３２０の端部が取り付けられるとともに前記ベース部２００の前記収納空間内でスライド移動可能な略扁平板状のスライダ部４１０と、
前記スライダ部４１０の可動方向を前記ベース部２００の長手方向に沿う方向にガイドするガイド手段４４０と、を備え、
前記ガイド手段４４０は、前記スライダ部４１０の両脇において前記ベース部２００に配設され前記ベース部２００の長手方向に長さを有するガイド溝４４１と、
前記スライダ部４１０の面に沿って当該スライダ部４１０から両脇方向へそれぞれ延出して設けられ前記ガイド溝４４１へ係合する方向へ突起する係合凸部４３１を先端に有する腕部４３０と、を備える
ことを特徴とする掛止具１００。
【請求項６】
請求項１ないし請求項５のいずれかに記載の掛止具１００において、
前記スライド手段４００は、
前記ボタン首部３２０の端部が取り付けられるとともに前記ベース部２００の前記収納空間内でスライド移動可能なスライダ部４１０と、
前記スライダ部４１０の可動方向を前記ベース部２００の長手方向に沿う方向にガイドするガイド手段４４０と、を備え、
前記ガイド手段４４０は、
前記スライダ部４１０の両脇において前記ベース部２００に配設され前記ベース部２００の長手方向に長さを有するガイド溝４４１と、
前記スライダ部４１０の面に沿って当該スライダ部４１０から両脇方向へそれぞれ延出して設けられ前記ガイド溝４４１へ係合する方向へ突起する係合凸部４３１を先端に有する腕部４３０と、
前記スライダ部４１０の両脇において前記ベース２００に配設され前記スライダ部４１０の両脇を挟持して前記スライダ部４１０の可動方向をガイドするガイド壁４４３と、を備え、
前記ガイド壁４４３は、前記スライダ部４１０の少なくとも一端側を両脇から挟んでガイドし、
前記腕部４３０は、前記スライダ部４１０の他端側に設けられている
ことを特徴とする掛止具１００。
【請求項７】
請求項１ないし請求項６のいずれかに記載の掛止具１００において、
前記ボタン部３００を、前記ベース部２００の長手方向のいずれか一方向へ付勢する付勢手段５００を備えた
ことを特徴とする掛止具１００。
【請求項８】
請求項１ないし請求項７のいずれかに記載の掛止具１００において、
前記ボタン部３００を、前記ベース部２００の長手方向のいずれか一方向へ付勢する付勢手段５００を備え、
前記スライド手段４００は、
前記ボタン首部３２０の端部が取り付けられるとともに前記ベース部２００の前記収納空間内でスライド移動可能な略扁平板状のスライダ部４１０と、
前記スライダ部４１０の可動方向を前記ベース部２００の長手方向に沿う方向にガイドするガイド手段４４０と、を備え、
前記ガイド手段４４０は、前記スライダ部４１０の両脇において前記ベース部２００に配設され前記ベース部２００の長手方向に長さを有するガイド溝４４１と、
前記スライダ部４１０の面に沿って当該スライダ部４１０から両脇方向へそれぞれ延出して設けられ前記ガイド溝４４１へ係合する方向へ突起する係合凸部４３１を先端に有する腕部４３０と、を備え、
前記付勢手段５００は、前記ガイド溝４４１に配設されるとともに前記腕部４３０を介して前記スライダ部４１０を付勢する
ことを特徴とする掛止具１００。
【請求項９】
請求項１ないし請求項８のいずれかに記載の掛止具１００において、
前記スライド手段４００は、前記ボタン首部３２０の端部が取り付けられるとともに前記ベース部２００の前記収納空間内でスライド移動可能なスライダ部４１０を備え、
前記スライダ部４１０は、前記窓部２２１の開口の周囲部分に所定の面積で当接する幅広部４２５を有することを特徴とする掛止具１００。
【請求項１０】
請求項１ないし請求項９のいずれかに記載の掛止具１００において、
前記スライド手段４００は、前記ボタン首部３２０の端部が取り付けられるとともに前記ベース部２００の前記収納空間内でスライド移動可能なスライダ部４１０を備え、
前記ベース部２００は、前記ボタン部３００が取り付けられた状態の前記スライダ部４１０を前記収納空間に出し入れ可能である
ことを特徴とする掛止具１００。
【請求項１１】
請求項１ないし請求項１０のいずれかに記載の掛止具１００を有する衣料６００。
【請求項１２】
請求項１１に記載の衣料６００において、
前記一方生地６３０は、少なくとも前記ベース部２００よりも広い大きさを有する布地６６０の周縁部が当該一方生地６３０に縫着されて形成される袋空間６６１を備え、
前記掛止具１００は、袋空間６６１に収納されている
ことを特徴とする衣料６００。
【請求項１３】
請求項１ないし請求項１０のいずれかに記載の掛止具１００を衣料６００に配設する方法であって、
少なくとも前記ベース部２００よりも広い大きさを有する布地６６０の周縁部を前記一方生地６３０に一部未縫着の状態で縫着して袋空間６６１を形成する工程と、
前記袋空間６６１に掛止具１００を収納する工程と、
を備えた掛止具１００の配設方法。
【発明の詳細な説明】
【技術分野】
【０００１】
本発明は、掛止具、衣料および掛止具の配設方法に関し、例えば、ズボンあるいはスカート等のウエストサイズを調整可能とする掛止具等に関する。
【背景技術】
【０００２】
従来、ズボンあるいはスカート等の衣服のウエストサイズを調整可能とする構成が知られている（例えば、特許文献１、２、３、４）。
特許文献１、３、４には、上前地の内側面（うら面）に取り付けられる雄フックと下前地の外側面（おもて面）に取り付けられる雌フックとの掛け止めによりウエストの打合わせを留める掛止手段が記載されている。
そして、この掛止手段の雄フックは、前記上前地に取り付けられウエスト周方向に沿った摺動レールを有する基体部と、前記摺動レールに摺動可能に設けられ前記雌フックの門型ホルダに掛止する鉤部を有する雄フック主体と、を備え、当該雄フック主体はウエストを縮径する方向（ウエスト引き締め方向）に付勢されている。
【０００３】
特許文献２には、ウエストの打合わせ部とは別の位置においてウエストの周方向に直交する切込みが設けられ、この切込みの間隔を調整できる構成が記載されている。
すなわち、前記切込みを挟んだ一方の生地に取り付けられウエスト周方向にガイド孔を有する基体部と、前記ガイド孔に係合する突子を有するとともに前記基体部から切込みを挟んだ他方の生地に向けて突出する突出部を有するスライド片と、このスライド片の突出部を他方の生地に固着する固着手段と、を備え、前記スライド片は基体部に対してウエスト周方向にスライド移動可能であってウエスト引き締め方向に付勢されている。
【０００４】
このような構成によれば、特許文献１、３、４では雄フックのスライド移動により、また、特許文献２ではスライド片のスライド移動によりウエストサイズが調整される。
【０００５】
【特許文献１】特開２０００−０５０９１３号公報
【特許文献２】特開２００３−１０２５２０号公報
【特許文献３】特開２００１−０８７０１０号公報
【特許文献４】特開２００２−０８５１１４号公報
【発明の開示】
【発明が解決しようとする課題】
【０００６】
特許文献１、３、４に開示されるように、雄フックの鉤部を雌フックのホルダに掛止する構成にあっては、例えば、ジーンズに使用されるデニム地等の厚手の生地には適用できないという問題がある。これは、厚手の生地では雄フックの鉤部および雌フックが生地に埋もれてしまい、鉤部をホルダに嵌めにくくなってしまうからである。
【０００７】
また、特許文献２に開示されるように、スライド片が切込み部において露出する構成では、洗濯時にスライド片が変形されるおそれがあり、特に、ジーンズにあっては、縫製後に風合いを出すために研磨剤となる石を洗濯槽に入れて洗濯するので、薄いスライド片が外部に露出する構成を採用することはできない。さらに、スライド片が切込み部に露出するところ、スライド片の周囲を縫製する際にスライド片が邪魔になるので完全なる縫製が不可能であるとともに縫製効率が低下するという問題が生じる。
さらには、衣服においてはデザイン性が重要であり、特にジーンズ等の衣服においてはそのデザイン性が売れ行きを大いに左右するところ、スライド片が切込み部において外部に露出していると、美観性を大いに損なうという問題がある。
【０００８】
このように、ジーンズのデニム地に代表される厚手の生地からなる衣服（例えば、スカートやズボン）において、ウエストサイズを調整可能とする構成が望まれていた。
【０００９】
本発明の目的は、ボタン部をスライド移動させて例えば厚手の生地で成型されたズボンやスカートのウエストサイズを調整できるとともに、衣料への配設が容易となる掛止具、この掛止具を備えた衣料、および、この掛止具の配設方法を提供することにある。
【課題を解決するための手段】
【００１０】
本発明の掛止具は、一方生地に配設されるとともに前記一方生地に配設された状態で当該一方生地の面方向に沿った所定長さの長手方向を有するベース部と、ボタン頭部および当該ボタン頭部から立設するボタン首部を有するボタン部と、前記ベース部に配設され前記ボタン部を前記ベース部の長手方向に沿ってスライド移動させるスライド手段と、を備え、前記一方生地と他方生地との合わせ部において前記他方生地に形成されたボタンホールに掛け外し可能に掛止して前記合わせ部を留め合わせる掛止具であって、前記ベース部は、内部に設けられた収納空間と、前記ベース部の長手方向に沿った所定長さを有し前記収納空間を外部に連通させる窓部と、を備え、前記スライド手段は、前記ベース部の前記収納空間内に配設され、前記ボタン部は、前記ボタン首部の端部が前記スライド手段に取り付けられるとともに前記ボタン首部が前記窓部を通過する状態で前記ベース部から立ち上がる状態に設けられることを特徴とする。
【００１１】
このような構成において、ベース部が打合せ部の一方生地に配設される。すると、ボタン部がベース部から立ち上がる状態に設けられているところ、生地からボタン部が立ち上がる状態になる。このボタン部と他方生地のボタンホールとを掛け止めると、一方生地と他方生地とが留められる。
この状態で、一方生地に対して他方生地の相対位置が変化すると、ボタン部がボタンホールに引っ張られる。すると、ベース部の収納空間内に配設されたスライド手段によりボタン部がスライド移動する。すなわち、一方生地と他方生地とが掛け止ったままで一方生地と他方生地との相対位置の変化が許容される。
例えば、ズボンのウエスト部の打合せ部において、ウエストの打ち合わせが留まったままでボタンがスライド移動し、ウエストサイズが増減される。
【００１２】
このような構成によれば、ボタン部が一方生地から立ち上がっているので、ボタンホールに掛け止めやすくなる。例えば、生地が厚い場合、雄フックと雌フックとの掛止手段では両フックが生地に埋もれて掛止不能となるところ、本発明の構成によれば、厚手の生地であってもボタン部の掛止が容易である。
スライド手段がベース部の収納空間に収納されているので、スライド手段が保護される。スライド手段は、ボタン部をスライドさせるための可動部が存在するので破損の危険性が高く、特に衣料にあっては洗濯等により相当の衝撃が与えられることが考えられる。この点、スライド手段がベース部の内部に収納されているので、十分に保護され故障等が防止される。
また、スライド手段がベース部の収納空間に収納されており外部に露出する部分がないので、当該掛止具を生地に取り付ける場合でもベース部を単純に取り付けるだけでよく、例えば、ベース部の周囲を縫製する作業が非常に簡便となる。その結果、縫製の効率が向上される。
【００１３】
なお、本発明の掛止具の用途は特に限定されず、カバン、靴、ベルト、など、互いに打合せられる一方生地と他方生地との打合せ部を掛止する掛止具として利用できるが、特に、デニム地等の厚手の生地で成型されたズボンやスカートのウエスト部の打合せ部を留める掛止具として好適である。
【００１４】
本発明では、前記スライド手段は、前記ボタン首部の端部が取り付けられるとともに前記ベース部の前記収納空間内でスライド移動可能なスライダ部と、前記スライダ部の可動方向を前記ベース部の長手方向に沿う方向にガイドするガイド手段と、を備え、前記ガイド手段の少なくとも一部は、前記ベース部の収納空間内において、前記一方生地と前記他方生地とが打ち合わされたときの前記他方生地の側に配設されていることが好ましい。
【００１５】
このような構成において、一方生地と他方生地とが打ち合わされて掛止具のボタン部とボタンホールで留められた状態で、ボタン部がボタンホールによって他方生地の側に向けて引っ張られると、ボタン部とともにスライダ部も他方生地の側に引かれる。このとき、ガイド手段は、収納空間内において他方生地側に配設されているので、スライダ部が他方生地の側に引かれたときにでもガイド手段として機能し、さらには、スライダ部が他方生地に引かれた状態で適切にスライダ部をガイドすることができる。すなわち、他方生地のボタンホールでボタン部が引かれたときに、ガイド手段はスライダ部をより適切にガイドするので、ボタン部のスライド移動が適切に案内される。その結果、ボタン部のスライド移動が滑らかとなり、例えば、ズボンのウエスト調整が適切に行われる。
【００１６】
本発明では、前記スライド手段は、前記ボタン首部の端部が取り付けられるとともに前記ベース部の前記収納空間内でスライド移動可能なスライダ部と、前記スライダ部の可動方向を前記ベース部の長手方向に沿う方向にガイドするガイド手段と、を備え、前記ガイド手段の少なくとも一部は、前記ベース部および前記スライダ部に対して一体成型されていることが好ましい。
【００１７】
このような構成によれば、ガイド手段を収納空間内に別体として設ける場合に比べて、ベース部を小型、薄型化することができる。特に、当該掛止具が衣料に配設される場合には、掛止具が小型かつ薄型となるので衣料の着心地を損なうことがない。また、ガイド手段が、ベース部およびスライダ部に一体成型されるので、部品点数が少なく、組み立て効率が向上される。
【００１８】
本発明では、前記スライド手段は、前記ボタン首部の端部が取り付けられるとともに前記ベース部の前記収納空間内でスライド移動可能なスライダ部と、前記スライダ部の可動方向を前記ベース部の長手方向に沿う方向にガイドするガイド手段と、を備え、前記ガイド手段は、前記ベース部および前記スライダ部のいずれか一方に凹設され前記ベース部の長手方向に長さを有する溝と、前記ベース部および前記スライダ部のいずれか他方に凸設され前記溝に係合する係合凸部と、を備えることが好ましい。
【００１９】
このような構成によれば、溝および係合凸部がベース部およびスライダ部に一体成型され、当該掛止具を小型化、薄型化することができる。
ここで、ベース部が一面を開口させた表ケースと表ケースの開口を閉塞する裏ケースとにて構成される場合、表ケースにガイド溝が凹設され、スライダ部に係合凸部となる膨出部が膨出形成されていてもよく、あるいは、裏ケースにガイドレールが凸設され、スライダ部に溝条が凹設されていてもよい。
【００２０】
本発明では、前記スライド手段は、前記ボタン首部の端部が取り付けられるとともに前記ベース部の前記収納空間内でスライド移動可能な略扁平板状のスライダ部と、前記スライダ部の可動方向を前記ベース部の長手方向に沿う方向にガイドするガイド手段と、を備え、前記ガイド手段は、前記スライダ部の両脇において前記ベース部に配設され前記ベース部の長手方向に長さを有するガイド溝と、前記スライダ部の面に沿って当該スライダ部から両脇方向へそれぞれ延出して設けられ前記ガイド溝へ係合する方向へ突起する係合凸部を先端に有する腕部と、を備えることが好ましい。
【００２１】
このような構成によれば、スライダ部に対してガイド溝が両脇に配設されるので、スライダ部がガイド溝と重ならず、薄型化される。
ここで、ボタンがボタンホールとの掛止で他方生地側に引っ張られると、ボタンが引っ張られる方向によっては、スライダ部を斜めに傾斜させるような回転トルクが働くことが考えられる。この点、スライダ部は、両脇のガイド溝に腕部で支持されているので姿勢が安定し、滑らかなスライド移動が確保される。
なお、スライダ部の両脇とは、スライダ部が収納空間内に配設された状態で、ベース部の長手方向に直交する方向へスライダ部の面に沿ってスライダ部から離間する位置である。
【００２２】
本発明では、前記スライド手段は、前記ボタン首部の端部が取り付けられるとともに前記ベース部の前記収納空間内でスライド移動可能なスライダ部と、前記スライダ部の可動方向を前記ベース部の長手方向に沿う方向にガイドするガイド手段と、を備え、前記ガイド手段は、前記スライダ部の両脇において前記ベース部に配設され前記ベース部の長手方向に長さを有するガイド溝と、前記スライダ部の面に沿って当該スライダ部から両脇方向へそれぞれ延出して設けられ前記ガイド溝へ係合する方向へ突起する係合凸部を先端に有する腕部と、前記スライダ部の両脇において前記ベースに配設され前記スライダ部の両脇を挟持して前記スライダ部の可動方向をガイドするガイド壁と、を備え、前記ガイド壁は、前記スライダ部の少なくとも一端側を両脇から挟んでガイドし、前記腕部は、前記スライダ部の他端側に設けられていることが好ましい。
【００２３】
このような構成によれば、スライダ部は、一端側においてガイド壁に挟持され、他端側において両脇の係合凸部が両脇のガイド溝に係合されることにより可動方向にガイドされる。ここで、ボタンが引っ張られる方向によっては、スライダ部の端部を左右に振るような回転トルクが作用するところ、スライダ部の一端側も他端側もガイドされているので、スライダ部の姿勢が安定する。その結果、スライダ部の滑らかなスライド移動が確保される。
【００２４】
なお、ガイド溝とガイド壁を設けるにあたって、ガイド溝の側壁から連続してガイド壁が立設されると、デッドスペースを排して小型化される。
【００２５】
本発明では、前記ボタン部を、前記ベース部の長手方向のいずれか一方向へ付勢する付勢手段を備えることが好ましい。
【００２６】
このような構成によれば、ボタン部が一方に付勢されることから、一方生地に対する他方生地の相対位置を偏倚させることができる。例えば、ズボンのウエスト部の打合せ部において、ボタン部がウエスト引き締め方向に付勢されると、着衣者のウエストサイズにズボンのウエストサイズが合わせられる。そして、着衣者のウエストサイズが増加する場合に他方生地のボタンホールによってボタン部が引かれると、付勢手段の付勢力に抗してスライダ部がスライドし、着衣者のウエストサイズに合わせてズボンのウエストサイズが調整される。
【００２７】
本発明では、前記ボタン部を、前記ベース部の長手方向のいずれか一方向へ付勢する付勢手段を備え、前記スライド手段は、前記ボタン首部の端部が取り付けられるとともに前記ベース部の前記収納空間内でスライド移動可能な略扁平板状のスライダ部と、前記スライダ部の可動方向を前記ベース部の長手方向に沿う方向にガイドするガイド手段と、を備え、前記ガイド手段は、前記スライダ部の両脇において前記ベース部に配設され前記ベース部の長手方向に長さを有するガイド溝と、前記スライダ部の面に沿って当該スライダ部から両脇方向へそれぞれ延出するとともに前記ガイド溝へ係合する方向へ突起する係合凸部を有する腕部と、を備え、前記付勢手段は、前記ガイド溝に配設されるとともに前記腕部を介して前記スライダ部を付勢することが好ましい。
【００２８】
このような構成によれば、スライダ部をガイドするガイド溝に付勢手段が配設されるので、別途に付勢手段の配置スペースを設ける場合に比べて空間利用効率が向上され、当該掛止具が小型化、薄型化される。
付勢手段は、スライダ部の脇に設けられるので、掛止具の長手方向の長さを短くすることができる。また、付勢手段は、スライダ部の両脇を付勢するので、例えば、スライダ部の中心線に沿う位置のみを付勢する場合にくらべて、スライダ部をバランスよく付勢することができ、スライダ部の移動方向を安定させることができる。
【００２９】
本発明では、前記スライド手段は、前記ボタン首部の端部が取り付けられるとともに前記ベース部の前記収納空間内でスライド移動可能なスライダ部を備え、前記スライダ部は、前記窓部の開口の周囲部分に所定の面積で当接する幅広部を有することが好ましい。
【００３０】
このような構成において、ボタン部が窓部を通過してスライダ部に取り付けられているところ、ボタン部が引っ張られると窓部の開口縁をスライダ部が押し上げるので窓部の開口縁に大きな力がかかる。この点、スライダ部は、幅広な面積で窓部の開口の周囲に当接するので、窓部の開口縁の破損が防止される。
【００３１】
本発明では、前記スライド手段は、前記ボタン首部の端部が取り付けられるとともに前記ベース部の前記収納空間内でスライド移動可能なスライダ部を備え、前記ベース部は、前記ボタン部が取り付けられた状態の前記スライダ部を前記収納空間に出し入れ可能であることが好ましい。
【００３２】
このような構成によれば、スライダ部とともにボタン部を交換することができる。すると、利用者の好みに合わせてボタン部のデザインを替えることができる。
例えば、ベース部が表ケースと裏ケースとで構成されている場合、表ケースと裏ケースとを取り外し可能としてもよく、あるいはベース部に開閉可能な蓋部を設けてもよく、あるいはベース部の収納空間は常時開放されていてもよい。
そして、種々の異なるボタン部とスライダ部を組み合わせたユニットを用意しておけば、好みに合わせていつでもボタン部を交換することができる。
【００３３】
本発明の衣料は、前記いずれかの掛止具を有することを特徴とする。
このような衣料としては、ズボンやスカートなどが例示され、この掛止具を備えた衣料によれば、ウェストサイズを調整することができる。
【００３４】
本発明では、前記一方生地は、少なくとも前記ベース部よりも広い大きさを有する布地の周縁部が当該一方生地に縫着されて形成される袋空間を備え、前記掛止具は、袋空間に収納されていることが好ましい。
【００３５】
このような構成によれば、掛止具を袋空間に挿入するだけなので、簡便に掛止具を衣料に配設（取付）することができる。そして、袋空間に収納されてしまえば、掛止具が外部から見えなくなるので、美観性を損なうことがない。
なお、袋空間が一方生地の裏側に設けられる場合、前記一方生地は、前記一方生地の裏側から表側にボタン頭部を露出させるとともにボタン部のスライド移動を確保する長孔を有することが好ましい。
【００３６】
本発明の掛止具の配設方法は、少なくとも前記ベース部よりも広い大きさを有する布地の周縁部を前記一方生地に一部未縫着の状態で縫着して袋空間を形成する工程と、前記袋空間に掛止具を収納する工程と、を備えたことを特徴とする。
【００３７】
このような構成によれば、袋空間を形成する工程で形成された袋空間は未縫着部分から外部に通じている。そこで、この未縫着部分から袋空間に掛止具を挿入すれば、簡便に掛止具を生地に配設することができる。また、掛止具が無い状態で先に布地を縫着するので、ミシン針が掛止具に当たって破損するような事態も起こりようがなく、縫製の効率が向上される。
なお、この未縫着部分は掛止具が挿入可能な広さであることはもちろんである。
また、掛止具を袋空間に収納した後、前記未縫着部分を完全に縫着してもよい。このように掛止具が完全に袋空間に閉じ込められてしまえば、掛止具の盗難を防止することができる。あるいは、未縫着部分は、そのまま未縫着とされてもよく、簡易な仮縫いで縫着されてもよい。すると、掛止具を簡便に交換することができる。
【発明を実施するための最良の形態】
【００３８】
以下、本発明の実施の形態を図示するとともに図中の各要素に付した符号を参照して説明する。
本発明の一実施形態について説明する。
図１に、本発明の掛止具に係る一実施形態の使用状態を示す。
この掛止具１００は、例えば、ズボン６００等のウエスト部６１０において、ウエストの打ち合せ６２０を留めるとともにウエストサイズを調整する。
図１において、ズボン６００のウエスト部６１０は、打合せ部６２０において下前地（一方生地）６３０と上前地（他方生地）６４０とが打ち合わされている。そして、上前地６４０に設けられたボタンホール６５０と下前地６３０に設けられた掛止具１００のボタン３００部とが掛止され、打合せ部６２０が留められる。本発明の掛止具１００は、このように打合せ部６２０がボタン部３００とボタンホール６５０との掛止で留められた状態でウエストサイズを調整可能にする掛止具である。
なお、本掛止具１００は、ズボン６００やスカート等に代表される衣服のウエストを留める掛止具として利用されるのみならず、カバンや靴などについても一方の生地と他方の生地とをボタンおよびボタンホールの掛止によって留める場合に利用できる。
【００３９】
図２は掛止具１００の全体斜視図であり、図３は掛止具１００の分解斜視図であり、図４は裏ケース２５０を外した状態の内部を示す図である。また、図５は図２中のV-V線における断面図であり、図６は図２中VI-VI線における断面図であり、図７は図２中のVII-VII線における断面図である。
掛止具１００は、ズボン６００のウエスト部６１０に取り付けられるベース部２００と、ボタンホール６５０に掛止するボタン部３００と、ボタン部３００をウエストの周方向にスライド移動させるスライド手段４００（図３参照）と、ボタン部３００をウエスト引き締め方向に付勢する付勢手段としてのコイルバネ５００（図３参照）と、を備えている。
【００４０】
ベース部２００は、図３に示されるように、内部に収納空間を有するケース状であって、例えば一面である背面側が開口する略扁平箱状の表ケース２１０と、表ケース２１０の開口を閉塞する長方形平板状の裏ケース２５０と、を備えている。
表ケース２１０は、長方形平板状の天板部２２０と、天板部２２０の長手方向の両側辺から連続一体的に折曲形成された側板部２３０と、天板部２２０の長手方向の両端縁から連続一体的に折曲形成された端板部２４０と、天板部２２０の略中央よりもやや一端側よりの位置から他端側の途中まで長手方向に長さを有する長孔状に開口した窓部２２１と、四隅に開口形成された係合孔２２２（図２参照）と、を備える。
【００４１】
図２に示されるように、天板部２２０に対して側板部２３０および端板部２４０は、外表面において滑らかな曲線により連続し、また、側板部２３０から端板部２４０への連続も外表面において滑らかに連続している。
ここで、表ケース２１０の長手方向の一方を一端とし、長手方向の他方を他端とし、図２中では、手前側（左側に位置する方）を一端側、奥側（右側に位置する方）を他端側とする。このとき、一端側において側板部２３０と端板部２４０とは比較的大きな曲率半径で連続し、他端側において側板部２３０と端板部２４０とは比較的小さな曲率半径で連続している。
【００４２】
窓部２２１の両側辺は直線状に形成され、両端は円弧状に形成されている。窓部２２１は、長手方向に所定長さＬ２を有し、短手方向に所定の幅Ｗ３を有するが、短手方向の幅Ｗ３は天板部２２０の短手方向長さの略３分の１程度であり、天板部２２０の側辺と窓部２２１との間に所定距離を残す。
係合孔２２２は、表ケース２１０の四隅にそれぞれ設けられるところ、図２に示されるように、主として天板部２２０から端板部２４０を切り欠くように形成されている。このとき、図７に示されるように、表ケース２１０の内方から端板部２４０を長手方向に切り込むようにして、天板部２２０に平行な係止面２２３が形成されている。また、一端側の両隅の係合孔２２２には、天板部２２０から係合孔２２２の内方に向けて垂下する押し板２２４が設けられている（図３または図７参照）。
【００４３】
裏ケース２５０は、表ケース２１０の開口を閉塞する面積および形状であり、表ケース２１０の係合孔２２２に係合する係合爪２６０を四隅に有する。
係合爪２６０は、ベース部２００を組み立てたときにベース部２００の内方となる裏ケース２５０の背面において、裏ケース２５０の四隅から長手方向に突起する形状である。ここで、一端側に設けられる係合爪２６０は、裏ケース２５０の背面から突起形成された係合突起部２６２であり、係合孔２２２に挿嵌されたときに係止面２２３に引っ掛かる係る爪が長手方向に突き出ている。
また、他端側に設けられる係合爪２６０は、裏ケース２５０の背面から長手方向へ突き出た舌状片２６１である。
【００４４】
ボタン部３００は、円形平板状のボタン頭部３１０と、ボタン頭部３１０の背面から軸状に伸びるボタン首部３２０と、を備える。
ボタン頭部３１０の直径は窓部２２１の幅よりも大きく、ボタン頭部３１０は窓部２２１を通過しない大きさである。
ここで、ボタン頭部３１０の表面において略中央には浅い凹部が凹設され、凹部の内部や凹部の周辺に文字、図形等の装飾が施される。なお、ボタン頭部３１０の形状や装飾は特に限定されず、ボタン頭部３１０を円形、三角、四角、星型、各種キャラクターの形状にしたり、これらの装飾をボタン頭部３１０に施してもよい。  ボタン首部３２０は、中空の筒状に形成され、ボタン頭部３１０とは反対側において縮径する凸条３３０を有する（図６参照）。
【００４５】
スライド手段４００は、ベース部２００の内部（収納空間内）に設けられており、ボタン部３００をスライド移動させる。
スライド手段４００は、ベース部２００の内部で長手方向にスライド移動可能に設けられたスライダ部４１０と、スライダ部４１０を可動方向に案内するガイド手段４４０と、を備える。
【００４６】
スライダ部４１０は、略長方形平板状で、長手方向の長さＬ１は窓部２２１の長さＬ２よりも若干長めであり、表ケース２１０の端板部２４０の内壁間距離に対して半分よりやや長めである。また、スライダ部４１０の短手方向の幅Ｗ１は、窓部２２１の幅Ｗ３よりも広めである。そして、スライダ部４１０は、一端側から他端側の途中までがやや幅狭の矩形状に形成されているとともに、他端側に向かう途中から所定の曲率で幅方向に膨らむ幅広部４２５を有する。
スライダ部４１０は、ベース部２００に収納されたときに表ケース２１０側になるおもて面から隆起した隆起部４２１と、ボタン部３００をスライダ部４１０に取り付けるための取付孔４２２と、を備える。
【００４７】
隆起部４２１は、スライダ部４１０の他端側においておもて面から略円柱状に隆起している。隆起部４２１は、窓部２２１に挿通され、隆起部４２１の幅および曲率は、窓部２２１の幅および両端の曲率に略一致している。
取付孔４２２は、隆起部４２１の略中心を貫通して形成され、内径を縮径させる凸条４２３を有する（図６参照）。
取付孔４２２は、スライダ部４１０の他端側に設けられているところ、ボタン部３００が取付孔４２２に取り付けられた状態でスライダ部４１０の他端が窓部２２１を通過できる。このような取付孔４２２の位置およびボタン首部３２０の径についての関係は特に明示しないが、ボタン首部３２０（あるいは隆起部４２１）が十分に細く、かつ、取付孔４２２が十分にスライダ部４１０の他端に寄っていればよい。
【００４８】
ガイド手段４４０は、スライダ部４１０から短手方向に突出した腕部４３０と、スライダ部４１０がベース部２００に収納されたときに裏ケース２５０側になるスライダ部４１０の背面に凹設された溝条（溝）４２４と、表ケース２１０の背面において両側辺に設けられたガイド溝（溝）４４１と、表ケース２１０の背面において短手方向で所定間隔離間して一端から他端に向かう途中まで立設されたガイド壁４４３と、裏ケース２５０の背面において一端から他端にわたって立設されたガイドレール（係合凸部）４４４（図５参照）と、を備える。
【００４９】
腕部４３０は、スライダ部４１０の両脇に二本設けられ、スライダ部４１０の他端側から突出して設けられている。腕部４３０は、スライダ部４１０のおもて面側方向（表ケース側方向）に向けて僅かに膨らんだ膨出部（係合凸部）４３１と、腕部４３０から一端側方向に向けて伸出されたピン４３２と、を備える。
なお、腕部４３０を含めたスライダ部４１０の短手方向の幅（短手方向で腕部とスライダ部とを足した長さ、図４、図３中のＷ２）は、側板部２３０の内壁間距離に略一致する。また、腕部４３０を含めたスライダ部４１０の短手方向の幅Ｗ２は、窓部２２１の長さＬ２よりも短い。
溝条４２４は、スライダ部４１０の背面において、一端から他端にわたって凹設されている。
【００５０】
ガイド溝４４１は、天板部２２０の背面において両側辺が一端側から他端側にわたって凹まされることで形成され、そして、側板部２３０の内壁がガイド溝４４１の側壁となっている。ガイド溝４４１の底面は、図５に示されるように、断面において円弧状に形成されている。
また、ガイド溝４４１の長手方向の両端には係合孔２２２が位置するところ、ガイド溝４４１の両端には仕切板４４２が設けられ、ガイド溝４４１と係合孔２２２とが仕切板４４２で仕切られている。
スライダ部４１０が、表ケース２１０の内側に配設されたときに、腕部４３０の膨出部４３１がガイド溝４４１に嵌合する。
【００５１】
ガイド壁４４３は、天板部２２０の背面から二本立設されており、互いの距離がスライダ部４１０の短手方向幅に略一致している。そして、スライダ部４１０が表ケース２１０の内側に配置されたときに、二本のガイド壁４４３がスライダ部４１０を挟んでガイドする。また、スライダ部４１０が他端側に寄った状態であっても、スライダ部４１０の少なくとも一端側を挟める位置までガイド壁４４３は立設されている。
【００５２】
ガイドレール４４４は、表ケース２１０の内側に配設されたスライダ部４１０を表ケース２１０と裏ケース２５０とにて挟持したときに、スライダ部４１０の溝条４２４に嵌合する。
【００５３】
コイルバネ５００は、ガイド溝４４１内に配設され、コイルバネ５００の自然長は、ガイド溝４４１の長さに略等しい。コイルバネ５００にはピン４３２が挿通され、ガイド溝４４１内において腕部４３０は、コイルバネ５００の他端側に位置する。ベース部２００の内部において、スライダ部４１０はコイルバネ５００により腕部４３０を介して他端側に向けて付勢される。
【００５４】
次に、掛止具１００の組み立てについて簡便に説明する。
まず、スライダ部４１０にボタン部３００を取り付ける。このとき、ボタン首部３２０とスライダ部４１０とは、取付具７００により一体化される。取付具７００は、ボタン首部３２０と取付孔４２２とが連通した状態で取付孔４２２の凸条４２３とボタン首部３２０の凸条３３０とのそれぞれに係合する頭部を有する。なお、この取付具７００は、例えばリベットであり、ボタン部３２０とスライダ部４１０とをリベット締めするものである。これにより、ボタン部３００がスライダ部４１０に一体化され、容易には抜けなくなる（図６参照）。
次に、ボタン部３００が取り付けられたスライダ部４１０を表ケース２１０の内側に配置する。このとき、ボタン頭部３１０は、窓部２２１を通過できないところ、表ケース２１０のおもて面側からスライダ部４１０の一端を窓部２２１に通し、続けて、ボタン部３００のボタン首部３２０およびスライダ部４１０の他端を窓部２２１に通す。すると、ボタン頭部３１０は表ケース２１０のおもて側に、スライダ部４１０は表ケース２１０の背面側に配置され、ボタン頭部３１０とスライダ部４１０とは窓部２２１を通過するボタン首部３２０で繋がる。
【００５５】
次に、腕部４３０が表ケース２１０の他端側に位置する向きにスライダ部４１０の方向を調整して、ピン４３２にコイルバネ５００を取り付ける。そして、スライダ部４１０を表ケース２１０の背面に載置し、コイルバネ５００と腕部４３０の膨出部４３１とをガイド溝４４１にセットするとともに、スライダ部４１０の一端側をガイド壁４４３の間に置く（図４参照）。すると、スライダ部４１０が、表ケース２１０の背面にセットされ、このとき、隆起部４２１が窓部２２１に嵌まる。
この状態において裏ケース２５０で表ケース２１０の開口を閉塞する。このとき、他端側の係合爪２６０（舌状片２６１）を他端側の係合孔２２２に挿入したのち、一端側の係合爪２６０（係合突起部２６２）を一端側の係合孔２２２に挿入する。すると、一端側の係合爪２６０（係合突起部２６２）は押し板２２４に押されるので、一端側の係合爪２６０（係合突起部２６２）が係止面２２３から外れなくなり、表ケース２１０と裏ケース２５０とが嵌め殺しとなる（図７参照）。この状態で、スライダ部４１０は表ケース２１０と裏ケース２５０とにてスライダ部４１０の摺動を許容する程度の隙間をもって挟持され、スライダ部４１０の背面の溝条４２４に裏ケース２５０のガイドレール４４４が嵌合する。
【００５６】
次に、掛止具１００のズボン６００への取り付けについて図８を参照して簡便に説明する。
図８は、打合せ部６２０の下前地６３０を内側（うら面側）から見た図である。
図８において、ボタン部３００のスライド移動を確保するスリット状の長孔６３１がズボン６００の下前地６３０に形成されている。また、下前地６３０の内側に布地６６０が袋貼りされ、下前地６３０と布地６６０とにて形成される袋空間６６１に掛止具１００が収納される。布地６６０は、平面視において掛止具１００の大きさよりも僅かに大きく、掛止具１００に重なったときに布地６６０の周縁が掛止具１００の外側にはみ出る程度の大きさを有する長方形形状である。
ここで、ボタン部３００は、掛止具１００の他端側に向けて付勢されているところ、掛止具１００の一端側が上前地６４０に近接する側に位置し、掛止具１００の他端側が上前地６４０から離隔する側に位置するように掛止具１００が袋空間６６１に収納される。すると、ボタン部３００は常にウエスト引き締め方向に付勢されることになる。
【００５７】
掛止具１００をズボン６００に取り付けるにあたっては、まず、ズボン６００の下前地６３０にボタン部３００のスライド移動を確保するスリット状の長孔６３１を形成しておく。そして、下辺において上前地から離隔する部分６６２および上前地から離隔する一辺６６３を未縫着とし、残りの部分について布地６６０を下前地６３０に縫着する。すなわち、上前地６４０から離隔する部分にL字状の未縫着部分を残す（袋空間を形成する工程）。
そして、布地６６０と下前地６３０とにて形成される袋空間６６１に掛止具１００を挿入して（掛止具を収納する工程）、ボタン頭部３１０を長孔６３１から下前地６３０のおもて面側に露出させる。この際、表ケース２１０をズボンの下前地の側に向けて、裏ケース２５０を布地６６０の側に向ける。
その後、L字状の未縫着部分を完全に縫着して袋空間を閉塞する。すると、掛止具１００がズボン６００に配設（取付け）される。
【００５８】
このような掛止具の動作について説明する。
掛止具１００が取り付けられたズボン６００を利用者（着衣者）が着衣して、ボタン部３００をボタンホール６５０に掛ける。このとき、ボタン部３００は、コイルバネ５００の付勢力によって掛止具１００の他端側、すなわち、ウエスト引き締め方向に付勢されている。すると、利用者の体型あるいは腹圧にあわせてズボン６００のウエストサイズが利用者のウエストサイズに適合するサイズとなる。
利用者が起立姿勢から着座姿勢に移ったり、食事により空腹から満腹になったりすると、利用者のウエストサイズが増大する。このとき、ズボン６００のウエストサイズを増大させる方向、すなわち、ズボン６００の上前地６４０と下前地６３０とを離隔する方向へズボン６００のウエスト部に力がかかり、上前地６４０のボタンホール６５０がボタン部３００を一端側に引っ張ることとなる。
ボタン部３００が一端側に引かれると、ボタン部３００に一体化されたスライダ部４１０が一端側に引かれる。
スライダ部４１０は、コイルバネ５００の付勢力に抗して引かれることにより、ガイド手段４４０（腕部４３０、溝条４２４、ガイド溝４４１、ガイド壁４４３、ガイドレール４４４）のガイドに従って一端側にスライド移動する。スライダ部４１０のスライドによりボタン部３００が一端側に移動され、ズボン６００のウエストサイズが増大される。そして、ズボン６００のウエストサイズが利用者のウエストサイズに適合するサイズに調整される。
【００５９】
このような掛止具によれば、次の効果を奏する。
（１）掛止具１００がズボン６００に配設された状態でボタン部３００がベース部２００から立ち上がっているので、生地（下前地６３０）からボタン部３００が立ち上がる状態になる。従って、例えば、生地が厚い場合でもボタン部３００を手でつまみ易くなり、ボタンの掛止が容易になる。
（２）ボタン部３００がスライド手段４００によりスライド移動可能であるので、ウエストの打合せ部６２０が留まったままでボタン部３００がスライド移動し、ウエストサイズが増減される。
【００６０】
（３）スライド手段４００（スライダ部４１０およびガイド手段４４０）がベース部２００に収納され、スライド手段４００が外部に露出しないので、スライド手段４００が保護される。よって、洗濯等により相当の衝撃が与えられた場合でも故障等が防止される。
（４）スライド手段４００がベース部２００に収納されており外部に露出する部分がないので、掛止具１００を生地（下前地６３０）に取り付ける作業が簡便になる。つまり、掛止具１００を袋空間６１１に収納するだけでよい。その結果、縫製の効率が向上される。
【００６１】
（５）ガイド溝４４１が表ケース２１０の背面に配設され、膨出部４３１がこのガイド溝４４１に係合する構成となっており、また、ガイド壁４４３が表ケース２１０の背面に設けられている。従って、ボタン部３００が上前地６４０のボタンホール６５０によって引っ張られたときに、ガイド溝４４１と膨出部４３１とがより強く係合され、スライダ部４１０がガイド壁４４３の間により強く挟まることになる。従って、ボタン部３００がボタンホール６５０に引かれてスライド移動するときに、スライダ部４１０がガイド溝、膨出部４３１およびガイド壁４４３によって適切にガイドされる。
【００６２】
（６）ガイド手段４４０として、ガイド溝４４１およびガイド壁４４３は表ケース２１０に一体成型され、溝条４２４および腕部４３０はスライダ部４１０に一体成型され、ガイドレール４４４は裏ケース２５０に一体成型されている。よって、部品点数が削減され、掛止具１００が小型、薄型化され、さらに、組み立て作業が簡便になる。
【００６３】
（７）ガイド溝４４１がスライダ部４１０の両脇に設けられ、このガイド溝４４１に腕部４３０が係合することによりスライダ部４１０の両脇が支持される。また、腕部４３０によりスライダ部の他端側がガイド溝４４１に対して支持され、ガイド壁４４３によりスライダ部４１０の一端側が支持される。このように、スライダ部４１０の前後左右（一端側、他端側、両脇）が支持されることによりスライダ部４１０の姿勢が安定し、スライダ部の滑らかなスライド移動が可能となる。
【００６４】
（８）ガイド壁４４３がガイド溝４４１の側壁から連続して立設されているので、デッドスペースを排して掛止具１００が小型化される。
【００６５】
（９）ベース部２００の収納空間内に仕切り板４４２あるいはガイド壁４４３等が立設され、これらのリブ構造により構造的補強が図られる。従って、ベース部２００（表ケース２５０および裏ケース２５０）をプラスチックの樹脂等で形成しても十分な強度が確保される。そして、ベース部２００が樹脂等で形成される結果、材料コストを安価とし、また、射出成型等により製造コストが削減される。
【００６６】
（１０）スライダ部４１０から延出される腕部はスライダ部４１０の幅広部４２５から両脇に延出されているので、腕部４３０の長さが短くてよく、腕部４３０の強度が保たれる。
【００６７】
（１１）コイルバネ５００によりボタン部３００が一方に付勢されているので、ズボン６００のウエスト部６１０の打合せ部６２０において、ボタン部３００がウエスト引き締め方向に付勢され、着衣者のウエストサイズにズボンのウエストサイズが合わせられる。そして、着衣者のウエストサイズが増加する場合にボタンホール６５０によってボタン部３００が引かれると、コイルバネ５００の付勢力に抗してスライダ部４１０がスライドし、着衣者のウエストサイズに合わせてズボンのウエストサイズが調整される。
【００６８】
（１２）コイルバネ５００は、ガイド溝４４１に配設されるので、別途にコイルバネ５００の配置スペースを設ける場合に比べて空間利用効率が向上され、当該掛止具１００が小型化、薄型化される。また、コイルバネ５００は、スライダ部４１０の脇に設けられるので、スライダ部４１０に対して長手方向の前後に付勢手段が配設される場合に比べて、掛止具１００の長手方向の長さを短くすることができる。また、コイルバネ５００は、スライダ部４１０の両脇を付勢するので、例えば、スライダ部４１０の中心線に沿う位置のみを付勢する場合に比べて、スライダ部４１０をバランスよく付勢することができ、スライダ部４１０の移動方向および姿勢を安定させることができる。
【００６９】
（１３）スライダ部４１０は幅広部４２５を有する形状とされ、窓部２２１の開口の周囲に対して幅広の部分で当接するので、窓部２２１の開口縁に大きな力が掛からず、窓部２２１の破損が防止される。
【００７０】
（１４）掛止具１００をズボン６００に配設（取付）するにあたっては、掛止具１００を袋空間６６１に挿入すればよいだけなので、簡便に掛止具をズボンに配設（取付）することができる。
このとき、先に布地６６０を縫いつけるので、縫製作業中にミシン針が掛止具１００に当たって折れるような事態が起こらず、縫製効率が向上される。
また、掛止具１００を袋空間６６１に挿入する場合に、掛止具１００の一端側は角の曲率半径が大きく形成されているので、挿入が滑らかとなる。
【００７１】
なお、本発明は前述の実施形態に限定されず、本発明の目的を達成できる範囲での変形、改良等は本発明に含まれる。
例えば、ベース部２００やスライダ部４１０等の材料は特に限定されず、プラスチック等の樹脂でもよく、金属であってもよい。
【００７２】
そして、ボタン部３００とスライダ部４１０とは別体であっても一体であってもよい。例えば、ボタン部３００とスライダ部４１０とが樹脂で一体成型されてもよく、金属で一体成型されてもよい。また、ボタン部３００とスライダ部４１０とが別体であり場合、ボタン部３００とスライダ部４１０との接合方法は特に限定されないのはもちろんである。
ガイド溝４４１等は表ケース２１０に凹設されることによりベース部２００に一体化して設けられていたが、ガイド溝４４１が別体としてベース部２００の内部に配置されていてもよい。
ボタン頭部３１０とボタン首部３２０とは一体であってもよく、ボタン頭部３１０とボタン首部３２０とは別体であってもよい。そして、ボタン頭部３１０とボタン首部３２０とを別体とする場合、ボタン頭部３１０を首振り可能にしてもよい。例えば、図９に示されるように、ボタン首部３２０を筒状にして、ボタン頭部３１０から延出された取付筒部３１２をボタン首部３２０に回転可能かつ首振り可能に嵌挿してもよい。
【００７３】
掛止具をズボンに配設するに当たって布地６６０の未縫着部分をＬ字型にしたが、布地の一辺だけを未縫着部分としてもよいのはもちろんである。そして、未縫着部分を未縫着のままに残しておけば、掛止具１００を取り換え可能にできる。また、下前地６３０に布地６６０のうえから裏地（裏布）を設けることにより、袋空間６６１（の未縫着部分）を外部から遮蔽してもよい。
【００７４】
付勢手段は、コイルバネ５００に限られず、ゴムなどの弾性部材であってもよい。コイルバネ５００は、スライダ部４１０を一端側から他端側に向けて押すように付勢しているが、逆に他端側からスライダ部４１０を引付けるように付勢してもよい。
また、特に、付勢手段を設けることなく、スライダ部４１０の位置をベース部２００の中で段階的に変更可能とする構成であってもよい。たとえば、ガイド溝４４１に複数の凹部を設けておいて、腕部４３０がこれら凹部に嵌合する位置でスライダ部４１０が位置決めされるとしてもよい。
【００７５】
ベース部２００を構成する表ケース２１０と裏ケース２５０とを嵌め殺しとしたが、表ケース２１０と裏ケース２５０とを取り外し可能にしてもよい。すると、スライダ部４１０とともにボタン部３００を交換することができる。
【００７６】
掛止具１００は、袋空間６６１に収納されることでズボン６００に配設されるとしたが、ベース部２００をズボン６００の生地に直接縫い付けてもよい。この場合、ベース部２００の周縁部に縫い付け用の小孔が複数設けられていてもよい。
【００７７】
ベース部２００内の収納空間にスライド手段４００を配設する構成は上記実施形態に限定されないのはもちろんである。例えば、溝（ガイド溝、溝条）および係合凸部（膨出部やガイドレールなど）は、ベース部およびスライダ部のいずれに設けられていてもよい。
【産業上の利用可能性】
【００７８】
本発明は、ズボンあるいはスカート等のウエストサイズを調整可能とする掛止具等に関するに利用できる。
【図面の簡単な説明】
【００７９】
【図１】本発明の掛止具に係る一実施形態の使用状態を示す図。
【図２】掛止具の全体斜視図。
【図３】掛止具の分解斜視図。
【図４】掛止具の裏ケースを外した状態の内部を示す図。
【図５】図２中のV-V線における断面図。
【図６】図２中のVI-VI線における断面図。
【図７】図２中のVII-VII線における断面図。
【図８】掛止具をズボンに配設する様子を示す図。
【図９】掛止具の変形例として首振りタイプのボタン部を示す図。
【符号の説明】
【００８０】
１００…掛止具、２００…ベース部、２１０…表ケース、２２０…天板部、２２１…窓部、２２２…係合孔、２２３…係止面、２２４…押し板、２３０…側板部、２４０…端板部、２５０…表ケース、２５０…裏ケース、２６０…係合爪、２６１…舌状片、２６２…係合突起部、３００…ボタン部、３１０…ボタン頭部、３１２…取付筒部、３２０…ボタン首部、３３０…凸条、４００…スライド手段、４１０…スライダ部、４２１…隆起部、４２２…取付孔、４２３…凸条、４２４…溝条、４２５…幅広部、４３０…腕部、４３１…膨出部、４３２…ピン、４４０…ガイド手段、４４１…ガイド溝、４４２…仕切板、４４３…ガイド壁、４４４…ガイドレール、５００…コイルバネ、６００…ズボン、６１０…ウエスト部、６１１…袋空間、６２０…打合せ部、６３０…下前地、６３１…長孔、６４０…上前地、６５０…ボタンホール、６６０…布地、６６１…袋空間、７００…取付具。
【図１】
2005273021.tif 000003
【図２】
2005273021.tif 000004
【図３】
2005273021.tif 000005
【図４】
2005273021.tif 000006
【図５】
2005273021.tif 000007
【図６】
2005273021.tif 000008
【図７】
2005273021.tif 000009
【図８】
2005273021.tif 000010
【図９】
2005273021.tif 000011